(57)【特許請求の範囲】
【請求項１】
支出した対象の撮影画像を受け付ける受付手段と、
前記支出した対象に対する支出情報に基づいて表示サイズを変えて前記支出した対象の撮影画像を表示させる制御を行う表示制御手段と、
を有することを特徴とする情報処理装置。
【請求項２】
前記表示制御手段は、前記支出した対象に対する支出情報に基づいて、前記支出した対象のうち相対的に多く支出したと評価された対象の画像を大きく表示する
ことを特徴とする請求項１に記載の情報処理装置。
【請求項３】
前記受付手段は、前記画像に対応付けるカテゴリの入力を受け付け、
前記受付手段により受け付けた画像について、カテゴリ毎に前記支出情報を示す値の平均を算出する算出手段をさらに備え、
前記表示制御手段は、算出された平均に対する前記支出情報の相対的な評価に応じて、表示サイズを変えて表示させる制御を行う
ことを特徴とする請求項１または２に記載の情報処理装置。
【請求項４】
前記受付手段は、前記画像に対する価値判断の入力を受け付け、
前記表示制御手段は、価値があると判断された前記画像を更に鮮明にして表示させる制御を行う
ことを特徴とする請求項１〜３の何れか１つに記載の情報処理装置。
【請求項５】
コンピュータが実行する支出状況可視化方法であって、
支出した対象の撮影画像を受け付ける受付工程と、
前記支出した対象に対する支出情報に基づいて表示サイズを変えて前記支出した対象の撮影画像を表示させる制御を行う表示制御工程と、
を含んだことを特徴とする支出状況可視化方法。
【請求項６】
支出した対象の撮影画像を受け付ける受付手順と、
前記支出した対象に対する支出情報に基づいて表示サイズを変えて前記支出した対象の撮影画像を表示させる制御を行う表示制御手順と、
をコンピュータに実行させることを特徴とする支出状況可視化プログラム。
【発明の詳細な説明】
【技術分野】
【０００１】
本発明は、情報処理装置、支出状況可視化方法および支出状況可視化プログラムに関する。
【背景技術】
【０００２】
従来から、家計簿の機能を有する家計簿アプリケーションが提供されている。このような家計簿アプリケーションでは、例えば、購入した商品名等の情報と、金額とを入力することで、月の支出内訳を計算でき、ユーザが支出状況を把握することができる。特許文献１には、カメラ機能付き携帯電話端末を使用して、買い物をした直後にレシート情報を抽出することにより、家計簿を自動的に作成する技術が提案されている。特許文献１の技術によれば、金額等の入力の手間を軽減できる。
【先行技術文献】
【特許文献】
【０００３】
【特許文献１】特開２０１０−１３４４９２号公報
【発明の概要】
【発明が解決しようとする課題】
【０００４】
しかしながら、家計簿アプリケーションは、一般的に、支出を金額で表示するため、表示された金額を把握しなければ支出状況を把握できず、支出状況がわかりづらいという問題点があった。
【０００５】
本願は、上記に鑑みてなされたものであって、支出状況を直感的にわかりやすく可視化できる情報処理装置、支出状況可視化方法および支出状況可視化プログラムを提供することを目的とする。
【課題を解決するための手段】
【０００６】
本願に係る情報処理装置は、支出した対象の撮影画像を受け付ける受付手段と、前記支出した対象に対する支出情報に基づいて表示態様を変えて前記支出した対象の撮影画像を表示させる制御を行う表示制御手段と、を有することを特徴とする。
【発明の効果】
【０００７】
実施形態の一態様によれば、支出状況を直感的にわかりやすく可視化できるという効果を奏する。
【図面の簡単な説明】
【０００８】
【図１】図１は、第１の実施形態に係る支出状況可視化処理の一例を示す説明図である。
【図２】図２は、第１の実施形態に係る情報処理装置の構成例を示す図である。
【図３】図３は、第１の実施形態に係る支出状況情報のデータ構成の一例を示す図である。
【図４】図４は、画像の表示サイズの一例を示す図である。
【図５】図５は、画像を表示させた画面の一例を示す図である。
【図６】図６は、第１の実施形態に係る受付処理の流れを示すフローチャートである。
【図７】図７は、第１の実施形態に係る表示制御処理の流れを示すフローチャートである。
【図８】図８は、第２の実施形態に係る情報処理装置の構成例を示す図である。
【図９】図９は、第２の実施形態に係るカテゴリ指定画面の一例を示す図である。
【図１０】図１０は、第２の実施形態に係る支出状況情報のデータ構成の一例を示す図である。
【図１１】図１１は、画像の表示サイズの一例を示す図である。
【図１２】図１２は、第３の実施形態に係る画像に対する価値判断を入力する画面の一例を示す図である。
【図１３】図１３は、第３の実施形態に係る支出状況情報のデータ構成の一例を示す図である。
【図１４】図１４は、表示される画像の表示の一例を示す図である。
【図１５】図１５は、変形例に係る支出状況情報のデータ構成の一例を示す図である。
【図１６】図１６は、表示される画像の表示の一例を示す図である。
【発明を実施するための形態】
【０００９】
以下に、本願に係る情報処理装置、支出状況可視化方法および支出状況可視化プログラムを実施するための形態（以下、「実施形態」と呼ぶ）について図面を参照しつつ詳細に説明する。なお、この実施形態により本願に係る位置表示制御装置、位置表示制御方法および位置表示制御プログラムが限定されるものではない。また、以下の各実施形態において同一の部位には同一の符号を付し、重複する説明は省略する。
【００１０】
（第１の実施形態）
〔１−１．支出状況可視化処理〕
まず、図１を用いて、第１の実施形態に係る支出状況可視化処理の一例について説明する。図１は、実施形態に係る支出状況可視化処理の一例を示す説明図である。図１の例では、支出状況可視化処理によって情報処理装置１０に表示される画面の一例が示されている。図１に示した情報処理装置１０は、例えば、スマートフォン等の携帯端末であり、表示部２０を有する。情報処理装置１０にはタッチパネルが採用されており、表示部２０は、各種情報を表示するだけでなく、指や専用ペン等によってタッチされることで各種操作を受け付ける。
【００１１】
情報処理装置１０は、支出状況を可視化する機能を有する。情報処理装置１０は、支出に関する入力を表示部２０から受け付ける。例えば、情報処理装置１０は、支出に関する入力として、画像の入力を受け付ける。例えば、図１（Ａ）に示すように、情報処理装置１０は、表示部２０から、支出した際の画像の入力を受け付ける。この支出した際の画像は、情報処理装置１０に備えられたカメラにより撮影されたものであってもよい。また、支出した際の画像は、他の装置で撮影されたものであってもよい。また、支出した際の画像は、Ｗｅｂなどからダウンロードしたものであってもよい。情報処理装置１０は、支出に関する入力として、相対的な支出度合の入力を受け付ける。例えば、情報処理装置１０は、支出した費用についての感覚的な複数段階での評価の入力を受け付ける。例えば、図１（Ｂ）に示すように、情報処理装置１０は、表示部２０に、支出した費用について「多め」、「少し多め」、「少し控えめ」、「控えめ」の４段階で感覚的な評価を入力する評価入力画面５０を表示させる。ユーザは、感覚的な評価を入力する。例えば、ユーザは、飲物に関して、普段、５００円程度のもの購入するが、１０００円のものを購入した場合、感覚的な評価として「多め」を選択する。なお、支出した費用を感覚的に評価する段数は、４段階に限定されず、２段階、３段階、５段階以上であってもよい。また、評価入力画面５０に表示する各段階の文言も、一例であり、各段階を表せば何れであってもよい。例えば、情報処理装置１０は、支出した費用について、感覚的に費用が多いと感じるほど大きい数字として、１〜４の数字により評価を入力させてもよい。
【００１２】
情報処理装置１０は、入力された画像を用いて支出状況を可視化することが可能とされている。情報処理装置１０は、ユーザから支出状況の可視化を指示する所定の操作が行われた場合、受け付けた支出度合に基づいて表示サイズを変えて画像を表示部２０に表示させる制御を行う。例えば、図１（Ｃ）に示すように、情報処理装置１０は、多く支出したと評価された画像を大きく表示する。
【００１３】
これにより、ユーザは、表示部２０に表示された画像の表示サイズから支出状況を把握できる。すなわち、実施形態に係る情報処理装置１０は、支出した費用を感覚的に評価に応じて画像の表示サイズを変えて表示することにより、支出状況を直感的にわかりやすく可視化できる。例えば、図１（Ｃ）の例では、飲物の画像５１の表示サイズが大きいことから、飲物に対して多く支出したことを把握できる。
【００１４】
以上のことから、実施形態に係る情報処理装置１０は、支出状況を直感的にわかりやすく可視化できる。以下、このような支出状況可視化処理を行う情報処理装置１０について詳細に説明する。
【００１５】
〔１−２．情報処理装置の構成〕
次に、図２を用いて、第１の実施形態に係る情報処理装置１０の構成について説明する。図２は、第１の実施形態に係る情報処理装置の構成例を示す図である。情報処理装置１０は、ユーザが保持する端末装置であり、一例として、スマートフォン、ＰＤＡ（Personal  Digital  Assistant）、携帯電話機等である。なお、情報処理装置１０は、デスクトップ型ＰＣ、タブレット型ＰＣ、ノート型ＰＣなどの情報処理装置であってもよい。本実施形態では、情報処理装置１０をスマートフォンとした場合を例とする。
【００１６】
図２に示すように、情報処理装置１０は、表示部２０と、入力部２１と、通信Ｉ／Ｆ（インタフェース）部２２と、記憶部２３と、制御部２４とを有する。
【００１７】
表示部２０は、各種情報を表示する表示デバイスである。表示部２０としては、ＬＣＤ（Liquid  Crystal  Display）やＣＲＴ（Cathode  Ray  Tube）などの表示デバイスが挙げられる。表示部２０は、各種情報を表示する。例えば、表示部２０は、支出に関する入力を行う画面や、評価入力画面５０、画像により支出状況可視化した画面など各種の画面を表示する。
【００１８】
入力部２１は、各種の情報を入力する入力デバイスである。例えば、入力部２１としては、情報処理装置１０に設けられた各種のボタンや、表示部２０上に設けられた透過型のタッチセンサなどの入力デバイスが挙げられる。なお、図２の例では、機能的な構成を示したため、表示部２０と入力部２１を別に分けているが、例えば、タッチパネルなど表示部２０と入力部２１を一体的に設けたデバイスで構成してもよい。また、入力部２１は、キーボード、マウスなどであってもよい。入力部２１は、ユーザからの操作入力を受け付け、受け付けた操作内容を示す操作情報を制御部２４へ出力する。
【００１９】
通信Ｉ／Ｆ部２２は、ＮＩＣ（Network  Interface  Card）等のインタフェースである。通信Ｉ／Ｆ部２２は、ネットワークを介した他の装置との間で各種のデータを送受信する。
【００２０】
記憶部２３は、各種情報を記憶するデバイスである。例えば、記憶部２３としては、ＲＡＭ（Random  Access  Memory）、フラッシュメモリなどの半導体メモリ素子や、ハードディスク、光ディスクなどの記憶装置が挙げられる。
【００２１】
記憶部２３は、制御部２４で実行されるＯＳ（Operating  System）や各種プログラムを記憶する。さらに、記憶部２３は、各種情報を記憶する。例えば、記憶部２３は、画像データ３０と、支出状況情報３１とを記憶する。
【００２２】
画像データ３０は、ユーザから登録を受け付けた支出に関する画像のデータである。例えば、画像データ３０は、ユーザから登録を受け付ける毎に、それぞれ記憶される。
【００２３】
支出状況情報３１は、ユーザから登録を受け付けた支出に関する各種の情報を記憶したテーブルである。例えば、支出状況情報３１には、支出した日付や、支出に対応する画像の情報、支出の感覚的な評価が記憶されている。
【００２４】
図３は、第１の実施形態に係る支出状況情報のデータ構成の一例を示す図である。図３に示した支出状況情報３１は、日付、対応画像、支出度合の各項目を有する。日付の項目は、支出した日付を記憶する領域である。本実施形態では、支出に関する入力する際に、支出した日付が指定される。日付の項目には、指定された支出した日付が記憶される。なお、支出した当日に支出に関する入力が行われるものとした場合、日付の項目には、支出に関する情報を入力した日付を記憶させてもよい。対応画像の項目は、支出に対応付ける画像の情報を記憶する領域である。対応画像の項目には、例えば、支出に対応付ける画像のパスおよびファイル名など、支出に対応付ける画像を示す情報が記憶される。なお、図３の例では、対応付ける画像を識別しやすくするため、「画像Ａ」と示している。支出度合の項目は、入力された支出した費用に関する感覚的な評価を記憶する領域である。本実施形態では、図１（Ｂ）に示すように、「多め」、「少し多め」、「少し控えめ」、「控えめ」の４段階で感覚的な評価を行っている。支出度合の項目には、１〜４の数値により、感覚的に費用が多いと感じるほど大きい数字で評価が記憶される。図３の例では、「２０１３／７／１」に支出があり、支出に関する画像が「画像Ａ」であり、支出度合が「４」であることから感覚的な評価が「多め」であることを示す。
【００２５】
制御部２４は、情報処理装置１０を制御するデバイスである。例えば、制御部２４としては、ＣＰＵ（Central  Processing  Unit）やＭＰＵ（Micro  Processing  Unit）等の電子回路や、ＡＳＩＣ（Application  Specific  Integrated  Circuit）やＦＰＧＡ（Field  Programmable  Gate  Array）等の集積回路を採用できる。制御部２４は、各種の処理手順を規定したプログラムや制御データを格納するための内部メモリを有し、これらによって種々の処理を実行する。制御部２４は、各種のプログラムが動作することにより各種の処理部として機能する。例えば、制御部２４は、受付部４０と、表示制御部４１とを有する。
【００２６】
受付部４０は、各種の登録を受け付ける処理部である。例えば、受付部４０は、画像および相対的な支出度合の入力を受け付ける。例えば、受付部４０は、支出に関する情報として、支払を行った支払日付および支出に対応付ける画像を指定する画面を表示部２０に表示させて、支払日付および支出に対応付ける画像の入力を受け付ける。また、受付部４０は、支出した費用の感覚的な評価を入力する評価入力画面５０を表示部２０に表示させて、支出した費用の感覚的な評価の入力を受け付ける。受付部４０は、受け付けた、支出に対応付ける画像のデータを画像データ３０として記憶部２３に格納する。また、受付部４０は、支払日付、支出に対応付ける画像の情報、感覚的な評価を支出状況情報３１に登録する。
【００２７】
表示制御部４１は、支出状況の可視化を行う処理部である。表示制御部４１は、支出状況情報３１に記憶された各種の情報に基づいて、表示サイズを変えて、画像データ３０の画像を表示部２０に表示させる。例えば、表示制御部４１は、支出度合の数値に応じて、４段階に表示サイズを変えて、画像データ３０の画像を表示させる制御を行う。図４は、画像の表示サイズの一例を示す図である。図４の例では、支出度合の数値が大きいほど画像の表示サイズが大きくされている。すなわち、支出度合が「４」の画像の表示サイズが一番大きくされ、支出度合の数値が「１」の画像の表示サイズが、一番小さくされている。
【００２８】
表示制御部４１は、ユーザから支出状況の可視化を指示する所定の操作を受け付ける。例えば、表示制御部４１は、例えば、支出状況の可視化する日付の範囲の指定を受け付ける。表示制御部４１は、支出状況の可視化する日付の範囲の指定を受け付けると、支出状況情報３１に基づいて、支払日付が指定された日付の範囲の画像データ３０の画像を、多く支出したと評価された画像の表示サイズを大きくして並べて表示する。
【００２９】
図５は、画像を表示させた画面の一例を示す図である。図５（Ａ）には、７月分として、支払日付が７月の画像を並べて表示した一例が示されている。図５（Ｂ）には、８月分として、支払日付が７月の画像を並べて表示した一例が示されている。このように、画像を、表示サイズを変えて表示することにより、ユーザは、画像の表示サイズから支出状況を把握できる。例えば、図５から７月は、大きな支出が多かったことを把握できる。また、８月は、細かな支出が多かったことを把握できる。
【００３０】
〔１−３．作用〕
次に、本実施形態に係る情報処理装置１０が、支出状況を可視化するために行う各種の処理の流れを説明する。最初に、情報処理装置１０が、画像および相対的な支出度合の入力を受け付ける受付処理の流れを説明する。図６は、第１の実施形態に係る受付処理の流れを示すフローチャートである。この受付処理は、所定のタイミング、例えば、ユーザから支出の登録を指示する所定の操作が行われたタイミングで実行される。
【００３１】
図６に示すように、受付部４０は、支出に関する情報として、支払を行った支払日付および支出に対応付ける画像を指定する画面を表示部２０に表示させて、支払日付および支出に対応付ける画像の入力を受け付ける（Ｓ１０）。また、受付部４０は、支出した費用の感覚的な評価を入力する評価入力画面５０を表示部２０に表示させて、支出した費用の感覚的な評価の入力を受け付ける（Ｓ１１）。
【００３２】
受付部４０は、受け付けた画像のデータを画像データ３０として記憶部２３に格納し、支払日付、支出に対応付ける画像の情報、感覚的な評価を支出状況情報３１に格納して（Ｓ１２）、処理を終了する。
【００３３】
次に、情報処理装置１０が、支出度合に基づいて表示サイズを変えて画像を表示させる制御を行う表示制御処理の流れを説明する。図７は、第１の実施形態に係る表示制御処理の流れを示すフローチャートである。この表示制御処理は、所定のタイミング、例えば、ユーザから、支出状況の可視化する日付の範囲の指定が行われたタイミングで実行される。
【００３４】
図７に示すように、表示制御部４１は、支出状況情報３１で支払日付が支出状況の可視化が指定された日付の範囲の画像データ３０を読み出す（Ｓ２０）。表示制御部４１は、読み出した画像データ３０の画像を、支出状況情報３１の支出度合の数値が大きいほど表示サイズを大きくして並べて表示し（Ｓ２１）、処理を終了する。
【００３５】
〔１−４．効果〕
このように、情報処理装置１０は、画像および相対的な支出度合の入力を受け付ける。そして、情報処理装置１０は、受け付けた支出度合に基づいて表示サイズを変えて画像を表示部２０に表示させる制御を行う。これにより、情報処理装置１０は、支出状況を直感的にわかりやすく可視化できる。情報処理装置１０は、このように支出状況を直感的にわかりやすく可視化できるため、ユーザの家計簿情報の入力を促進させることができる。
【００３６】
また、情報処理装置１０は、支出度合として、支出された費用についての複数段階での評価の入力を受け付ける。例えば、情報処理装置１０は、図１（Ｂ）に示すように、支出に関して、実際に支出した費用ではなく、支出した費用の感覚的な評価を入力させる。そして、情報処理装置１０は、多く支出したと評価された画像を大きく表示する。このため、例えば、この支出状況の画面を外部サーバへ投稿して公開した場合でも、実際に支出した費用がわからないため、ユーザの個人的な経済状況が特定されることを抑制できる。また、情報処理装置１０は、支出した費用の感覚的な評価を入力させるため、実際に支出した費用が多いものではなく、ユーザが多く支出したと思うものをより大きく表示させることができる。例えば、金額としては、他の支出よりも少なくても、普段よりも高い飲物を購入して、ユーザが多く支出したと感じた場合、図１（Ｃ）の例のように、飲物の画像５１の表示サイズが大きくすることができる。情報処理装置１０は、このようにユーザの感覚に合った支出状況を手軽に登録できるため、ユーザの家計簿情報の入力を促進させることができる。
【００３７】
（第２の実施形態）
〔２−１．情報処理装置の構成〕
次に、第２の実施形態について説明する。図８は、第２の実施形態に係る情報処理装置の構成例を示す図である。第２の実施形態に係る情報処理装置１０の構成は、図２に示した第１の実施形態に係る情報処理装置１０と略同一であるため、主に異なる部分について説明する。
【００３８】
図８に示すように、情報処理装置１０は、算出部４２をさらに有する。
【００３９】
受付部４０は、支出に関する情報として、画像に対応付けるカテゴリの入力をさらに受け付ける。例えば、受付部４０は、支出を分類する各種のカテゴリ名を表示したカテゴリ指定画面６０を表示部２０に表示させて、カテゴリの指定を受け付ける。図９は、第２の実施形態に係るカテゴリ指定画面の一例を示す図である。図９の例では、カテゴリ指定画面６０にカテゴリとして「食事」、「買物」、「趣味」、「レジャー」、「その他」が表示されている。受付部４０は、受け付けたカテゴリを支出状況情報３１に登録する。
【００４０】
図１０は、第２の実施形態に係る支出状況情報のデータ構成の一例を示す図である。図１０に示すように、第２の実施形態に係る支出状況情報３１には、カテゴリの項目が追加されている。カテゴリの項目は、支出に関連付けるカテゴリを記憶する領域である。カテゴリの項目には、カテゴリ指定画面６０から登録されたカテゴリが記憶される。
【００４１】
算出部４２は、各種の算出を行う処理部である。例えば、算出部４２は、支出状況情報３１に記憶された各種の情報に基づいて、カテゴリ毎に支出度合の平均を算出する。例えば、算出部４２は、画像データ３０をカテゴリ毎に分けて、それぞれのカテゴリ毎に、支出度合の平均を求める。
【００４２】
表示制御部４１は、支出状況の可視化を行う。例えば、表示制御部４１は、算出部４２により算出された平均に対する支出度合の相対的な評価に応じて、表示サイズを変えて画像データ３０の画像を表示部２０に表示させる。例えば、表示制御部４１は、カテゴリ毎に、平均値を基準に表示サイズの範囲を段階的に定め、各カテゴリの画像データ３０の画像を、当該画像の支出度合の値が含まれる範囲に応じた表示サイズで表示部２０に表示させる。図１１は、画像の表示サイズの一例を示す図である。例えば、表示制御部４１は、画像を４段階に表示サイズで表示する場合、カテゴリ毎に、支出度合の値が当該カテゴリの平均値＋１以上の画像を１番大きい表示サイズで表示させ、支出度合の値が当該カテゴリの平均値＋１未満かつ当該カテゴリの平均値以上の画像を２番目に大きい表示サイズで表示させ、支出度合の値が当該カテゴリの平均値未満かつ当該カテゴリの平均値−１以上の画像を３番目に大きい表示サイズで表示させ、支出度合の値が当該カテゴリの平均値−１未満の画像を１番小さい表示サイズで表示させる。なお、図１１は、各表示サイズの範囲は一例である。また、表示サイズは、４段階以外であってもよい。例えば、カテゴリの平均値＋２以上の画像をさらに大きく表示させる５段階の表示としてもよい。
【００４３】
〔２−２．効果〕
このように、情報処理装置１０は、画像に対応付けるカテゴリの入力を受け付ける。そして、情報処理装置１０は、受け付けた画像について、カテゴリ毎に支出度合の平均を求め、平均に対する支出度合の相対的な評価に応じて、表示サイズを変えて表示部２０に表示させる制御を行う。これにより、情報処理装置１０は、カテゴリ毎に、多く支出した際の画像データ３０の画像を大きく表示させることができる。また、情報処理装置１０は、平均に対する支出度合の相対的な評価に応じて、画像の表示サイズを変えるため、ユーザが支出に対する評価が低い又は高いカテゴリであっても、相対的に多く支出した評価した画像を大きく表示させることができる。例えば、ユーザが、複数の画像について、支出を「少し控えめ」または「控えめ」と評価した場合でも、「少し控えめ」と評価した画像を大きな標示サイズで表示させることができる。
【００４４】
（第３の実施形態）
〔３−１．情報処理装置の構成〕
次に、第３の実施形態について説明する。第３の実施形態に係る情報処理装置１０の構成は、第１および第２の実施形態と同一であるため、説明を省略する。
【００４５】
受付部４０は、画像に対する価値判断の入力を受け付ける。例えば、受付部４０は、支出状況の画面を公開し、それぞれの画像に対する価値判断の入力を受け付ける。図１２は、第３の実施形態に係る画像に対する価値判断を入力する画面の一例を示す図である。図１２の例では、画像に対する価値判断の入力するボタンとして、いいねボタン８０が表示されている。受付部４０は、いいねボタン８０が選択されると、画像が評価された情報を支出状況情報３１に登録する。
【００４６】
図１３は、第３の実施形態に係る支出状況情報のデータ構成の一例を示す図である。図１３に示すように、第３の実施形態に係る支出状況情報３１には、評価の項目が追加されている。評価の項目は、画像に対する評価を記憶する領域である。カテゴリの項目には、いいねボタン８０が選択された選択回数が記憶される。
【００４７】
表示制御部４１は、支出状況情報３１に記憶された各種の情報に基づいて、価値があると判断された画像が鮮明になるような画像処理（輝度やコントラストの変換）して表示部２０に表示させる。例えば、表示制御部４１は、評価の項目の記憶された、いいねボタン８０の選択回数に応じて画像のコントラストを変化させて、評価された画像を鮮明に表示部２０に表示させる。例えば、表示制御部４１は、いいねボタン８０の選択回数が多いほどコントラストが高くなるように、いいねボタン８０の選択回数の範囲を段階的に定め、各カテゴリの画像データ３０の画像を、いいねボタン８０が選択された回数が含まれる範囲に応じたコントラストで表示部２０に表示させる。図１４は、表示される画像の表示の一例を示す図である。なお、図１４の例では、画像の枠の線の太ささにより、画像のコントラストの違いを示している。例えば、表示制御部４１は、いいねボタン８０の選択回数が２０回の画像Ｂのコントラストを大きくして鮮明に表示させ、いいねボタン８０の選択回数が１０回の画像Ａのコントラストを次に大きく表示させ、いいねボタン８０の選択回数が５回の画像Ｃのコントラストを小さく表示させる。なお、表示制御部４１は、評価値が高い場合に、画像を明るくし（輝度を高める）、評価値が低い場合に、逆にセピア色にしたり（輝度を低める）、といったサイズ変更以外の表現を加えてもよい。また、表示制御部４１は、画像に枠をつけたり、マーキングを行うよな画像加工を行ってもよい。
【００４８】
〔３−２．効果〕
このように、情報処理装置１０は、画像に対する価値判断の入力を受け付ける。そして、情報処理装置１０は、価値があると判断された画像を鮮明に表示部２０に表示させる制御を行う。これにより、ユーザは、画像の鮮明性から評価が高い画像を把握でき、費用に対する効果を把握できる。
【００４９】
〔４．変形例〕
上述した実施形態に係る情報処理装置１０は、上記実施形態以外にも種々の異なる形態にて実施されてよい。そこで、以下では、上記の情報処理装置１０の他の実施形態について説明する。
【００５０】
例えば、上記実施形態では、画像に対して１対１で評価を受けるものとしたが、これに限定されるものではない。例えば、受付部４０は、複数の画像に対してまとめて、支出した費用の感覚的な評価の入力を受け付ける。例えば、旅行などで撮影した複数の画像を選択して、支出した費用の感覚的な評価を１つ入力させてもよい。受付部４０は、選択された複数の画像と、感覚的な評価を支出状況情報３１に登録する。
【００５１】
図１５は、変形例に係る支出状況情報のデータ構成の一例を示す図である。図１５に示すように、変形例に係る支出状況情報３１には、シーケンス番号の項目が追加されている。シーケンス番号の項目は、画像を登録した際に、それぞれ順に振られる番号を記憶する領域である。シーケンス番号の項目には、複数の画像がまとめて登録された場合、同じ番号が記憶される。また、まとめて登録された複数の画像は、支出度合の値も同じ値が記憶される。
【００５２】
表示制御部４１は、まとめて登録された複数の画像について重ねて、支出度合の値に応じた表示サイズで表示部２０に表示させる。例えば、表示制御部４１は、同じシーケンス番号が格納された画像をまとめて登録された画像として重ねて表示させる。そして、表示制御部４１は、重ねて表示された画像が選択された場合、重ねて表示していた画像をら並べて表示させる。図１６は、表示される画像の表示の一例を示す図である。なお、図１６（Ａ）の例では、画像Ａ１を表紙として画像Ａ１〜画像Ａ４が重ねて表示されている。この画像Ａ１が選択されると、図１６（Ｂ）に示すように、重ねて表示されていた画像Ａ１〜画像Ａ４が表示される。
【００５３】
また、上記第１の実施形態において、支出度合の数値に応じて表示サイズを変える場合について説明したが、これに限定されるものではない。例えば、表示制御部４１は、第２の実施形態と同様に、支出度合の平均を求め、平均に対する支出度合の相対的な評価に応じて、表示サイズを変えてもよい。
【００５４】
また、上記実施形態において、支出度合として、感覚的な複数段階での評価を入力させる場合について説明したが、これに限定されるものではない。例えば、支出度合として、金額を入力させてもよい。この場合、例えば、カテゴリ毎に、支出度合の平均を求め、平均に対する支出度合の相対的な評価に応じて、表示サイズを変えることにより、支出する金額が少ないカテゴリでも、支出が相対的に多い場合、画像を大きく表示させることができる。
【００５５】
また、上記実施形態において、情報処理装置１０において、画像および相対的な支出度合の入力を受け付け、受け付けた情報を記憶部２３に記憶し、記憶部２３に記憶した情報に基づいて表示を行う場合について説明したが、これに限定されるものではない。例えば、受け付けた情報をサーバ装置へ送信してサーバ装置の記憶部に記憶させ、サーバ装置が情報処理装置１０からの要求に基づいて、表示制御を行って情報処理装置１０の表示部２０に表示させてもよい。
【００５６】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００５７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００５８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００５９】
また、特許請求の範囲に記載した「手段」は、「部（section、module、unit）」や「回路」などに読み替えることができる。例えば、取得手段は、取得部や取得回路に読み替えることができる。
【符号の説明】
【００６０】
１０  情報処理装置
２０  表示部
２３  記憶部
２４  制御部
３０  画像データ
３１  支出状況情報
４０  受付部
４１  表示制御部
５０  評価入力画面
５１  画像
６０  カテゴリ指定画面
８０  いいねボタン
【要約】      （修正有）【課題】支出状況を直感的にわかりやすく可視化できる情報処理装置、支出状況可視化方法および支出状況可視化プログラムを提供する。【解決手段】情報処理装置１０は、支出した対象の撮影画像を受け付け、支出した対象に対する支出情報に基づいて表示態様を変えて撮影画像を表示部２０に表示させる制御を行う。支出した対象に対する支出情報に基づいて、支出した対象のうち相対的に多く支出したと評価された対象の画像を大きく表示する。【選択図】図１【図１】
0005973104.tif 000002
【図２】
0005973104.tif 000003
【図３】
0005973104.tif 000004
【図４】
0005973104.tif 000005
【図５】
0005973104.tif 000006
【図６】
0005973104.tif 000007
【図７】
0005973104.tif 000008
【図８】
0005973104.tif 000009
【図９】
0005973104.tif 000010
【図１０】
0005973104.tif 000011
【図１１】
0005973104.tif 000012
【図１２】
0005973104.tif 000013
【図１３】
0005973104.tif 000014
【図１４】
0005973104.tif 000015
【図１５】
0005973104.tif 000016
【図１６】
0005973104.tif 000017